(57)【要約】【課題】本発明は、占有する空間が小さいキーボード支持構造を有する電子装置を提供する。【解決手段】本発明に係る電子装置は、矩形のキーボード区域を有するカバー及びキーボード区域に収容されるキーボードモジュールを備える。キーボードモジュールの底部には、支持ビームが設けられ、支持ビームはキーボード区域の長手方向に沿って延伸している。【選択図】図１
2014146316.tif 000002
【特許請求の範囲】
【請求項１】
矩形のキーボード区域を有するカバー及び前記キーボード区域に収容されるキーボードモジュールを備える電子装置において、前記キーボードモジュールの底部には、支持ビームが設けられ、前記支持ビームは前記キーボード区域の長手方向に沿って延伸していることを特徴とする電子装置。
【請求項２】
前記キーボードモジュールは、キーボード板及び前記キーボード板の下表面に貼設された基板を備え、前記キーボード板は矩形を呈し、前記支持ビームは前記キーボード板の長手方向の２つの長辺に平行して位置し、前記支持ビームの長手方向の両端は前記カバーに固定されることを特徴とする、請求項１に記載の電子装置。
【請求項３】
前記カバーは、前記キーボード区域に位置するフレームをさらに備え、前記支持ビームの長手方向の両端には、第一取付部がそれぞれ設けられ、前記支持ビームの長手方向の中間部には、少なくとも１つの第二取付部が設けられ、前記第一取付部は前記カバーに固定され、前記第二取付部は前記基板を介して前記フレームに固定され、前記第一取付部及び第二取付部は、互いに反対の方向へ延出していることを特徴とする、請求項２に記載の電子装置。
【請求項４】
前記支持ビームは、その断面が湾曲構造を呈し、前記キーボードモジュールに当接される支持片と、前記支持片の両側の縁部から、前記キーボードモジュールから離れる方向へ延伸する２つの延伸片と、を備えることを特徴とする、請求項１〜３のいずれか１項に記載の電子装置。
【発明の詳細な説明】
【技術分野】
【０００１】
本発明は、電子装置に関し、特に占有する空間が小さいキーボード支持構造を有する電子装置に関するものである。
【背景技術】
【０００２】
ノートブック型コンピュータのキーボードの底部には、一般的に支持構造が設けられている。この支持構造は、キーボードが押圧される時に、下方へ弾性変形することを防止する。従来のノートブック型コンピュータのキーボードの支持構造は、通常金属又はプラスチックからなる支持板を採用する。しかし、このような支持板は、一定の厚さを有するため、ノートブック型コンピュータ内の多くの空間を占有する。
【発明の概要】
【発明が解決しようとする課題】
【０００３】
前記課題を解決するために、本発明は、占有する空間が小さいキーボード支持構造を有する電子装置を提供する。
【課題を解決するための手段】
【０００４】
本発明に係る電子装置は、矩形のキーボード区域を有するカバー及びキーボード区域に収容されるキーボードモジュールを備える。キーボードモジュールの底部には、支持ビームが設けられ、支持ビームはキーボード区域の長手方向に沿って延伸している。
【発明の効果】
【０００５】
従来の技術と比べて、本発明の電子装置は、支持ビームが、従来のキーボードモジュールの基板に貼設される大きな面積の支持板構造に取って代わり、強い支持能力を有するため、キーボードモジュールの底部における電子部品の使用空間を増大させ、且つ電子装置の重量を減少させることができる。
【図面の簡単な説明】
【０００６】
【図１】本発明の実施形態に係る電子装置の分解図である。
【図２】図１に示した電子装置の支持ビームの斜視図である。
【図３】図１に示した電子装置を反転させた組立図である。
【図４】図３に示した電子装置のＩＶ部の拡大図である。
【図５】図３に示した電子装置のＶ―Ｖに沿った断面図である。
【図６】本発明の第二実施形態における支持ビームの断面図である。
【図７】本発明の第三実施形態における支持ビームの断面図である。
【発明を実施するための形態】
【０００７】
以下、図面を参照して、本発明の実施形態について説明する。
【０００８】
図１を参照すると、本発明の実施形態に係る電子装置は、キーボードモジュール１０、カバー３０及び支持ビーム５０を備える。電子装置はノートブック型コンピュータであっても良い。
【０００９】
キーボードモジュール１０は、キーボード板１５及びキーボード板１５の下表面に貼設された基板１２を備える。キーボード板１５は、複数のキーキャップ１５２を備える。キーボード板１５は、矩形を呈し、上縁１５５及び下縁１５６を備える。上縁１５５及び下縁１５６は、キーボード板１５の長手方向における２つの長辺である。基板１２は、キーキャップ１５２にそれぞれに対応する複数のタッチスイッチ（図示せず）を備える。キーボードモジュール１０は、メンブレンキーボードモジュール（ｍｅｍｂｒａｎｅ  ｋｅｙｂｏａｒｄ  ｍｏｄｕｌｅ）であっても良い。
【００１０】
カバー３０には、キーボード区域３１が設けられている。キーボード区域３１は、矩形を呈する。カバー３０は、キーボード区域３１に位置するフレーム３２を備える。このフレーム３２は、複数のキーキャップ１５２に対応する格子状に形成されており、フレーム３２によって画成された複数の小窓部分にそれぞれキーキャップ１５２が配置される。
【００１１】
図２及び図５を参照すると、支持ビーム５０の断面は、凹状に湾曲した形状を呈する。本実施形態において、支持ビーム５０は、直線状に延び、その断面は「Ｕ」字状を呈する。支持ビーム５０は、支持ビーム５０の長手方向に延在する支持片５１と、支持片５１の長手方向に沿った両側の縁部からそれぞれ上方へ延びる２つの延伸片５３と、を備える。支持ビーム５０の長手方向の両端には、第一取付部６２がそれぞれ設けられ、支持ビーム５０の長手方向の中間部には、複数の第二取付部６４が設けられている。第一取付部６２と第二取付部６４とは、互いに反対の方向へ延出している。
【００１２】
図３及び図５を参照すると、組み立てる時、先ず、キーボードモジュール１０をカバー３０の内側からキーボード区域３１に取り付け、支持ビーム５０の両端の第一取付部６２をネジ又は他の固定方式によってカバー３０のフレーム３２に固定し、支持ビーム５０の第二取付部６４をキーボードモジュール１０の基板１２を介してフレーム３２に固定させる。この時、支持ビーム５０は、上縁１５５及び下縁１５６にほぼ平行に位置する。支持ビーム５０の支持片５１は、キーボードモジュール１０の基板１２に当接される。支持ビーム５０の２つの延伸片５３は、キーボードモジュール１０から離れる方向へ延伸するため、キーボードモジュール１０を支持することができる。
【００１３】
本実施形態において、支持ビーム５０の取り付け位置は、必要に応じて調整することができる。例えば、キーボードモジュール１０の複数のキーキャップ１５２の平均位置が、キーボード板１５の下縁１５６に隣接している場合、支持ビーム５０と下縁１５６との間の距離は、支持ビーム５０と上縁１５５との間の距離より小さくすることができる。
【００１４】
他の実施形態において、支持ビーム５０は、上縁１５５及び下縁１５６に固定することができる。支持ビーム５０は、上縁１５５及び下縁１５６に対して傾斜して固定しても良い。また、支持ビーム５０は、曲線或いは弧線になるように設置しても良い。
【００１５】
図６参照すると、第二実施形態において、支持ビーム８０の断面は、「Ｌ」字状を呈することができる。図７を参照すると、第三実施形態において、支持ビーム９０の断面は、弧状を呈することができる。
【００１６】
より強度にするために、支持ビーム５０の数量は複数であっても良い。複数の支持ビーム５０は、キーボードモジュール１０を支持するために平行、垂直又は交差して設置することができる。
【００１７】
本発明の電子装置において、支持ビーム５０が、従来のキーボードモジュールの基板に貼設される大きな面積の支持板構造に取って代わり、強い支持能力を有するため、キーボードモジュールの底部における電子部品の使用空間を増大させ、且つ電子装置の重量を減少させることができる。
【符号の説明】
【００１８】
１０  キーボードモジュール
１２  基板
１５  キーボード板
１５２  キーキャップ
１５５  上縁
１５６  下縁
３０  カバー
３１  キーボード区域
３２  フレーム
５０、８０、９０  支持ビーム
５１  支持片
５３  延伸片
６２  第一取付部
６４  第二取付部
【図４】
2014146316.tif 000003
【図５】
2014146316.tif 000004
【図６】
2014146316.tif 000005
【図７】
2014146316.tif 000006
【図１】
2014146316.tif 000007
【図２】
2014146316.tif 000008
【図３】
2014146316.tif 000009